(57)【特許請求の範囲】
【請求項１】
潜熱回収型でドレン水を中和する中和器を備えた熱源機において、内部に熱源機本体を収納したキャビネットの前面開口側に偏平な筐体状の中和器を配置すると共にこの中和器を扉状に回動自在に装着して成ることを特徴とする熱源機の中和器の取り付け構造。
【請求項２】
中和器の外殻を内部の中和剤が見えるように透明または半透明に形成したことを特徴とする請求項１の熱源機の中和器の取り付け構造。
【請求項３】
中和器に内部の中和剤の充填量の最低ラインを指標する目盛り線を設けたことを特徴とする請求項２記載の熱源器の中和器の取り付け構造。
【請求項４】
中和器全体を合成樹脂のブロー成形にて一体に形成して成ることを特徴とする請求項１乃至請求項３のいずれかに記載の熱源機の中和器の取り付け構造。
【発明の詳細な説明】
【０００１】
【発明の属する技術分野】
本発明は、潜熱も回収する潜熱回収型の熱源機において、熱源機で発生した酸性のドレン水を中和するように処理する中和器を設ける構造に関するものである。
【０００２】
【従来の技術及び発明が解決しようとする課題】
一般に潜熱も回収するようにした熱源機では潜熱を回収するとき燃焼排ガスが結露して酸性のドレン水が発生する。このために酸性のドレン水を中和処理して排水する必要があり、ドレン水を中和器に通して中和剤で中和処理して排水するようになっている。
【０００３】
このためにこの種の熱源機では中和器を設ける必要があり、熱源機本体を収納したキャビネット内に中和器を組み込む必要がある。ところが、中和器は消耗する中和剤を入れてあるために度々メンテナンスを行うためにキャビネットの前面の扉を開いたとき見えるようにキャビネットの前面開口に近い部位に設置することが望ましい。
【０００４】
ところが、中和器を前面開口側に配置して取り付けると、熱源機本体の中和器の裏側に配置した部分が隠れてしまってメンテナンスが困難である。中和器の裏側に配置した部分のメンテナンスを行う場合には中和器を取り外さなければならなくメンテナンスに手間がかかるという問題がある。
【０００５】
本発明は叙述の点に鑑みてなされたものであって、中和器のメンテナンスが容易にできると共に中和器の裏面側の熱源機のメンテナンスが容易にできる熱源機の中和器の取り付け構造を提供することを課題とする。
【０００６】
【課題を解決するための手段】
上記課題を解決するため本発明の請求項１の熱源機の中和器の取り付け構造は、潜熱回収型でドレン水を中和する中和器１を備えた熱源機において、内部に熱源機本体２を収納したキャビネット３の前面開口側に偏平な筐体状の中和器１を配置すると共にこの中和器１を扉状に回動自在に装着して成ることを特徴とする。中和器１をキャビネット３の前面開口側に配置したことにより、中和器１のメンテナンスがキャビネット３の前面開口側からできて中和器１のメンテナンスが容易にできる。また中和器１を偏平な筐体状とすると共にこの中和器１を扉状に回動自在に装着したことにより、扉を開閉するように中和器１を回動して中和器１の裏面側の熱源機本体２の部分を開放でき、中和器１を取り外したりしなくてもこの部分のメンテナンスができて中和器１の裏面側のメンテナンスが容易にできる。
【０００７】
また本発明の請求項２の熱源機の中和器の取り付け構造は、請求項１において、  中和器１の外殻を内部の中和剤４が見えるように透明または半透明に形成したことを特徴とする。中和器１内に装填した中和剤４の残量が一目で見えて中和器１のメンテナンスが容易にできる。
【０００８】
また本発明の請求項３の熱源機の中和器の取り付け構造は、請求項２において、
中和器１に内部の中和剤４の充填量の最低ラインを指標する目盛り線５を設けたことを特徴とする。中和器１内に所定以上の中和剤４があるかを一目で識別できて一層中和器１のメンテナンスが容易にできる。
【０００９】
また本発明の請求項４の熱源機の中和器の取り付け構造は、請求項１乃至請求項３のいずれかにおいて、中和器１全体を合成樹脂のブロー成形にて一体に形成して成ることを特徴とする。中和器１を簡単に製造できて安価に提供でき、しかも中和器１に継ぎ目ができなくてドレン水漏れのおそれがなく、またドレン水に排気が含まれていても排気が漏れるおそれがない。
【００１０】
【発明の実施の形態】
給湯機のような熱源機は図１乃至図３に示すように熱源機本体２をキャビネット３内に組み込むことで形成されており、キャビネット３の前面開口にはキャビネット用扉（図示せず）を開閉自在に装着してある。この熱源機本体２は例えば給湯機本体であり、例えば図５に示すように形成されている。
【００１１】
第１の熱交換装置Ａと第２の熱交換装置Ｂはバーナ７等を有する燃焼室８に熱交換器９を有しており、熱交換器９は顕熱回収型の一次熱交換器９ａと潜熱回収型の二次熱交換器９ｂとで構成されており、一次熱交換器９ａと二次熱交換器９ｂとを直列に接続してある。一次熱交換器９ａはバーナ７に近い側に配置してあり、二次熱交換器９ｂは排気口１０に近い側に配置してある。
【００１２】
第１の熱交換装置Ａの二次熱交換器９ｂには給水管路１１を連通させてあり、給水管路１１には水量センサー１２を配置してある。第１の熱交換装置Ａの二次熱交換器９ａには給湯管路１３を連通させてあり、給水管路１１の途中と給湯管路１３の途中とはバイパス管路１４にて連通させてある。バイパス管路１４にはバイパス用電磁弁１５を配置してあり、バイパス管路１４と給湯管路１３とが連通する部分にはミキシング機構１６を配置してある。しかして給水管路１１から水を供給すると、二次熱交換器９ｂにて潜熱を回収するように熱交換して水がある程度加熱され、次いで一次熱交換器９ａにて顕熱を回収するように熱交換して高温の湯が給湯管路１３から供給される。このときバイパス用電磁弁１５が制御されてバイパス管路１４から給水管路１１の水が給湯管路１３に供給され、ミキシング機構１６にてミキシングされて所定の温度に調整された湯が給湯管路１３から供給される。
【００１３】
第２の熱交換装置Ｂの二次熱交換器９ｂには暖房戻り管路１７を連通させてあり、第２の熱交換装置Ｂの一次熱交換器９ａには暖房往き管路１８を連通させてあり、暖房往き管路１８には開閉弁１９を配置してある。二次熱交換器９ｂと一次熱交換器９ａとを連通させる送り管路２０には暖房タンク２１を挿入してあり、送り管路２０の暖房タンク２１より下流側にはポンプ２２を配置してある。また暖房タンク２１と暖房往き管路１８との間はバイパス管路２３にて連通させてあり、バイパス管路２３には制御弁２４を配置してある。また風呂の追い焚きをするための追い焚き往き管路２５と追い焚き戻り管路２６との間にはバキュームブレーカ２７を配置してあり、追い焚き往き管路２５と上記バイパス管路２３との間に追い焚き用熱交換器２８を配置してあり、追い焚き戻り管路２６にポンプ２９を配置してある。しかして暖房を行う場合は開閉弁１９が開かれていると共にポンプ２２が駆動されており、暖房戻り管路１７から戻った湯が二次熱交換器９ｂで潜熱の回収を行う熱交換を行って暖房タンク２１に送られ、暖房タンク２１から送り管路２０を介して一次熱交換器９ａに送られて顕熱を回収する熱交換をして高温の湯が得られ、高温の湯が暖房往き管路１８を介して送られる。また風呂の追い焚きをするときは開閉弁１９が閉じられ、高温の湯がバイパス管路２３を介して暖房タンク２１に戻るように循環する。一方ポンプ２９が駆動されて風呂の湯が追い焚き戻り管路２６にて戻され、追い焚き用熱交換器２８を介して追い焚き往き管路２５にて風呂に送られる。そして追い焚き用熱交換器２８にて加熱された湯が風呂に送られて風呂が追い焚きされる。
【００１４】
また第１の熱交換装置Ａ及び第２の熱交換装置Ｂの二次熱交換器９ｂでは潜熱を回収するために燃焼排ガスが結露して強酸性のドレン水が発生するが、このドレン水がドレン排水管３０にて排水されるようになっている。このドレン排水管３０は中和器１に連通させてあり、中和器１に装填した中和剤４で中和処理し、排出管路３１にて排出できるようになっている。また暖房タンク２１のオーバーフロー管３２も排出管路３１に連通させてあり、暖房タンク２１のオーバーフローした湯を排出管路３１から排出できるようになっている。
【００１５】
上記のように構成せる熱源機本体２はキャビネット３内に組み込まれるが、本発明の場合、上記中和器１がキャビネット３の前面開口に位置するように取り付けられる。中和器１は図４に示すように上下に細長くて偏平で内部が中空の直方体状に形成されており、中和器１内には中和器１の幅方向の中央で上端から下端手前まで至るように仕切り３３を設けてあり、中和器１内を仕切ることで略Ｕ字状のトラップ構造の装填空間３４を設けてあり、充填空間３４の一方の上端部には入口３５を設けてあり、装填空間２の他方の上端部には出口３６を設けてあり、装填空間３４の下部には排水筒３８を設けてある。このように構成せる中和器１はポリエチレン等の合成樹脂製であり、透明または半透明に形成されている。中和器１を形成するとき仕切り３３部分も含めて一体にブロー成形することで形成されている。また中和器１には内部の中和剤４の充填量の最低ラインを指標する目盛り線５を設けてある。
【００１６】
この中和器１の装填空間３４内には略全体に中和剤４を装填してある。かかる中和剤４としては酸化マグネシウム、炭酸カルシウム等の粒剤がある。中和器１の排水筒３８には排水栓３９を設けてあり、排水筒３８に袋ナット４０を装着してある。中和器１の入口３５にはドレン排水管３０を連結してあり、中和器１の出口３６には排出管路３１を接続してある。中和器１には入口３５として第１の入口３５ａと第２の入口３５ｂを有しており、第１及び第２の熱交換装置Ａ，Ｂのドレン排水管３０を夫々接続してある。
【００１７】
この中和器１は熱源機本体２の前面側に取り付けられるのであるが、熱源機本体２のバーナブロック４１、ガス切り替え弁４２、暖房用のファン４３、風呂追い焚き用のポンプ２９の前面側に取り付けられる。中和器１の側方には電装基板４８を設けてある。中和器１を取り付けるとき上固定プレート４１と下固定プレート４２とを用いて取り付けられるが、上固定プレート４１を用いて第１の入口３５ａが垂直軸を中心に回転自在になるように取り付けられ、下固定プレート４２を用いて排水筒３８が垂直軸を中心に回転自在になるように取り付けられる。このように中和器１を取り付けることで中和器１が扉を開閉するように回動自在に取り付けられる。また中和器１を扉のように回動自在に取り付けるために中和器１に接続するドレン排水管３０や排出管路３１には可撓管部４３を設けてある。また中和器１には上取り付け片４５、横取り付け片４６、下取り付け片４７等を設けてあり、これらを固定することで中和器１が回動しないように固定されるようになっている。
【００１８】
上記のように中和器１は熱源機本体２を収納したキャビネット３の前面開口に配置されるため、中和剤４の量等を確認するために度々メンテナンスを行うものであっても、メンテナンスがしやすい。このとき中和器１が透明または半透明に合成樹脂にて形成されているために中和剤４の量を一目で確認できる。また中和器１に内部の中和剤４の充填量の最低ラインを指標する目盛り線５を設けてあるために中和器１に所定量以上の中和剤４があるか否かを一層正確に確認できる。また中和器１の裏にあるバーナブロック４１、ガス切り替え弁４２、暖房用のファン４３、風呂追い焚き用のポンプ２９等のメンテナンスを行う場合は、上取り付け片４５、横取り付け片４６、下取り付け片４７等の固定を外し、中和器１を扉の開閉のように回動し、中和器１を取り付けたままで行うことができる。
【００１９】
【発明の効果】
本発明の請求項１の発明は、潜熱回収型でドレン水を中和する中和器を備えた熱源機において、内部に熱源機本体を収納したキャビネットの前面開口側に中和器を配置したので、中和器のメンテナンスがキャビネットの前面開口側からできて中和器のメンテナンスが容易にできるものであり、しかも中和器を偏平な筐体状とすると共にこの中和器を扉状に回動自在に装着したので、扉を開閉するように中和器を回動して中和器の裏面側の熱源機本体の部分を開放でき、中和器を取り外したりしなくてもこの部分のメンテナンスができて中和器の裏面側のメンテナンスが容易にできるものである。
【００２０】
また本発明の請求項２の発明は、請求項１において、中和器の外殻を内部の中和剤が見えるように透明または半透明に形成したので、中和器内に装填した中和剤の残量が一目で見えて中和器のメンテナンスが容易にできるものである。
【００２１】
また本発明の請求項３の発明は、請求項２において、中和器に内部の中和剤の充填量の最低ラインを指標する目盛り線を設けたので、中和器内に所定以上の中和剤があるかを一目で識別できて一層中和器のメンテナンスが容易にできるものである。
【００２２】
また本発明の請求項４の発明は、請求項１乃至請求項３のいずれかにおいて、中和器全体を合成樹脂のブロー成形にて一体に形成しているので、中和器を簡単に製造できて安価に提供でき、しかも中和器に継ぎ目ができなくてドレン水に排気が含まれていても排気が漏れるおそれがないものである。
【図面の簡単な説明】
【図１】本発明の実施の形態の一例の正面図である。
【図２】同上の一部切欠側面図である。
【図３】図１の中和器等を省略した正面図である。
【図４】同上の中和器を示し、（ａ）は平面図、（ｂ）は正面図、（ｃ）は側面図、（ｄ）は仕切り部分の平面から見た断面図である。
【図５】同上の熱源機本体を構造を説明する概略管路図である。
【符号の説明】
１  中和器
２  熱源機本体
３  キャビネット
４  中和剤
５  目盛り線
【図１】
0003718401.tif 000002
【図２】
0003718401.tif 000003
【図３】
0003718401.tif 000004
【図４】
0003718401.tif 000005
【図５】
0003718401.tif 000006